(57)【要約】【課題】部品点数を少なく抑えることによって製造コストを削減することができるコネクタ、および、フラット回路体とコネクタの接続構造を提供すること。【解決手段】フラット回路体とコネクタの接続構造１において、フラット回路体１０は、端末部１０ａの両角部１０ｂに一対の係合孔１３、１３を形成し、コネクタハウジング３０は、フラット回路体１０が挿入完了した位置で、一対の係合孔１３に係合するように突起し、かつ、フラット回路体１０を挿入する際に一対の係合孔１３を頂部に誘導する誘導部３３ａを形成した一対の係合突起３３と、一対の係合孔１３が一対の係合突起３３に係合する位置になるようにフラット回路体１０の移動を規制する移動規制部３４と、両角部１０ｂ周辺を対応する係合孔１３と係合突起３３とが係合可能、および、係合解除可能に移動規制部３４による移動規制範囲から外れるようにたわませる開口を形成した回路体逃げ部３５と、を有する。【選択図】図１
2017004858.tif 000002
【特許請求の範囲】
【請求項１】
フラット回路体の端末部をコネクタハウジング内にスライドしながら挿入することによって前記端末部に形成した電極を前記コネクタハウジング内の端子に接続するコネクタにおいて、
前記コネクタハウジングは、
前記フラット回路体が前記電極と前記端子を接続するように挿入完了した位置で、前記フラット回路体の両角部に前記フラット回路体を貫通するように形成した一対の係合孔に係合するように突起し、かつ、前記フラット回路体を挿入する際に前記一対の係合孔を頂部に誘導する誘導部を形成した一対の係合突起と、
前記一対の係合孔が前記一対の係合突起に係合する位置になるように前記フラット回路体の移動を規制する移動規制部と、
前記フラット回路体の前記一対の係合孔の各係合孔を含む前記両角部周辺を互いに対応する前記係合孔と前記係合突起とが係合可能、および、係合解除可能に前記移動規制部によって定められた移動規制範囲から外れるようにたわませることができる空間あるいは開口を形成した回路体逃げ部と、
を有する
ことを特徴するコネクタ。
【請求項２】
フラット回路体の端末部をコネクタのコネクタハウジング内にスライドしながら挿入することによって前記端末部に形成した電極と前記コネクタハウジング内の端子とを接続するフラット回路体とコネクタの接続構造において、
前記フラット回路体は、
前記端末部の両角部に前記フラット回路体を貫通するように一対の係合孔を形成し、
前記コネクタハウジングは、
前記フラット回路体が前記電極と前記端子を接続するように挿入完了した位置で、前記一対の係合孔に係合するように突起し、かつ、前記フラット回路体を挿入する際に前記一対の係合孔を頂部に誘導する誘導部を形成した一対の係合突起と、
前記一対の係合孔が前記一対の係合突起に係合する位置になるように前記フラット回路体の移動を規制する移動規制部と、
前記フラット回路体の前記一対の係合孔の各係合孔を含む前記両角部周辺を互いに対応する前記係合孔と前記係合突起とが係合可能、および、係合解除可能に前記移動規制部によって定められた移動規制範囲から外れるようにたわませることができる空間あるいは開口を形成した回路体逃げ部と、
を有する
ことを特徴するフラット回路体とコネクタの接続構造。
【請求項３】
前記移動規制部は、
前記一対の係合突起の周辺、かつ、前記一対の係合突起に比して前記フラット回路体の挿入口側で前記端末部の厚みの幅に比して僅かに大きい幅で向かい合う壁で前記端末部の挿入経路を形成することによって前記一対の係合孔が前記一対の係合突起に係合する位置になるように前記フラット回路体の移動を規制する
ことを特徴する請求項２に記載のフラット回路体とコネクタの接続構造。
【請求項４】
互いに対応する前記係合孔と前記係合突起との係合を解除するように前記回路体逃げ部で前記両角部周辺をたわませるため、前記コネクタハウジングの外部から内部に係合解除用の冶具を差し入れる経路となる係合解除用冶具差入経路
を有することを特徴とする請求項２または３に記載のフラット回路体とコネクタの接続構造。
【請求項５】
前記係合解除用冶具差入経路は、
前記一対の係合突起が突出するそれぞれの面に各係合突起の近傍から前記係合解除用の冶具の差し入れ口となる冶具差入口に向けて下り傾斜するように形成した面であり、かつ、前記一対の係合孔が前記一対の係合突起に係合した状態にある前記フラット回路体の前記両角部それぞれの面に前記係合解除用の冶具を前記移動規制部によって定められた移動規制範囲から外れる方向に向けて押し当てるようにガイドする冶具挿入ガイド傾斜面
を形成する
ことを特徴とする請求項４に記載のフラット回路体とコネクタの接続構造。
【請求項６】
前記回路体逃げ部は、
前記両角部周辺を前記移動規制部によって定められた移動規制範囲から外れる方向にたわますことができるように、前記一対の係合突起の各係合突起の突出方向側に形成した開口であり、
前記係合解除用冶具差入経路は、
前記冶具差入口から前記回路体逃げ部まで連続した開口を形成する
ことを特徴とする請求項４または５に記載のフラット回路体とコネクタの接続構造。
【請求項７】
前記コネクタハウジングは、
固定先に固定金具によって固定し、前記固定金具を間にして互いに逆方向に突出し、かつ、該コネクタハウジングの底面の一部を構成する少なくとも一対の回転防止リブを有する
ことを特徴とする請求項２、３、４、５、または６に記載のフラット回路体とコネクタの接続構造。
【発明の詳細な説明】
【技術分野】
【０００１】
本発明は、フラット回路体の端末部に形成した電極とコネクタハウジング内の端子を接続するコネクタ、および、フラット回路体とコネクタの接続構造に関する。
【背景技術】
【０００２】
従来、フレキシブルプリント配線板（ＦＰＣ：Ｆｌｅｘｉｂｌｅ  Ｐｒｉｎｔｅｄ  Ｃｉｒｃｕｉｔ）、あるいは、フレキシブルフラットケーブル等のフラット回路体をコネクタに接続するフラット回路体とコネクタの接続構造としては、フラット回路体の端末部をコネクタのコネクタハウジング内にスライドしながら挿入することによってフラット回路体の端末部に形成した電極とコネクタハウジング内の端子とを接続するようにしている。
【０００３】
例えば、特許文献１のフラット回路体とコネクタの接続構造は、コネクタとのロック構造を有するスライダと称される部材をフラット回路体の端末部に組み付けることによって、フラット回路体をコネクタへの挿入完了位置でコネクタに固定し、フラット回路体とコネクタとの電気的な接続状態を保持するようにしている。
【先行技術文献】
【特許文献】
【０００４】
【特許文献１】特開２０１４−１７３６１号公報
【発明の概要】
【発明が解決しようとする課題】
【０００５】
しかしながら、特許文献１に記載されたフラット回路体とコネクタの接続構造は、コネクタ側の構成として、コネクタハウジングと、コネクトピン（端子）と、コネクタハウジングを回路基板に固定するための固定金具と、が必要であり、フラット回路体側の構成として、フラット回路体と、スライダと、が必要であり、しかも、スライダは基体部と把持部材とに分離するため、部品点数が多くなり、結果的に、製造コストが大きくなってしまうという問題があった。
【０００６】
本発明は、上記に鑑みてなされたものであって、部品点数を少なく抑えることによって製造コストを削減することができるコネクタ、および、フラット回路体とコネクタの接続構造を提供することを目的とする。
【課題を解決するための手段】
【０００７】
上述した課題を解決し、目的を達成するために、本発明の請求項１に係るコネクタは、フラット回路体の端末部をコネクタハウジング内にスライドしながら挿入することによって前記端末部に形成した電極を前記コネクタハウジング内の端子に接続するコネクタにおいて、前記コネクタハウジングは、前記フラット回路体が前記電極と前記端子を接続するように挿入完了した位置で、前記フラット回路体の両角部に前記フラット回路体を貫通するように形成した一対の係合孔に係合するように突起し、かつ、前記フラット回路体を挿入する際に前記一対の係合孔を頂部に誘導する誘導部を形成した一対の係合突起と、前記一対の係合孔が前記一対の係合突起に係合する位置になるように前記フラット回路体の移動を規制する移動規制部と、前記フラット回路体の前記一対の係合孔の各係合孔を含む前記両角部周辺を互いに対応する前記係合孔と前記係合突起とが係合可能、および、係合解除可能に前記移動規制部によって定められた移動規制範囲から外れるようにたわませることができる空間あるいは開口を形成した回路体逃げ部と、を有することを特徴する
【０００８】
上述した課題を解決し、目的を達成するために、本発明の請求項２に係るフラット回路体とコネクタの接続構造は、フラット回路体の端末部をコネクタのコネクタハウジング内にスライドしながら挿入することによって前記端末部に形成した電極と前記コネクタハウジング内の端子とを接続するフラット回路体とコネクタの接続構造において、前記フラット回路体は、前記端末部の両角部に前記フラット回路体を貫通するように一対の係合孔を形成し、前記コネクタハウジングは、前記フラット回路体が前記電極と前記端子を接続するように挿入完了した位置で、前記一対の係合孔に係合するように突起し、かつ、前記フラット回路体を挿入する際に前記一対の係合孔を頂部に誘導する誘導部を形成した一対の係合突起と、前記一対の係合孔が前記一対の係合突起に係合する位置になるように前記フラット回路体の移動を規制する移動規制部と、前記フラット回路体の前記一対の係合孔の各係合孔を含む前記両角部周辺を互いに対応する前記係合孔と前記係合突起とが係合可能、および、係合解除可能に前記移動規制部によって定められた移動規制範囲から外れるようにたわませることができる空間あるいは開口を形成した回路体逃げ部と、を有することを特徴する。
【０００９】
また、本発明の請求項３に係るフラット回路体とコネクタの接続構造は、上記の発明において、前記移動規制部が前記一対の係合突起の周辺、かつ、前記一対の係合突起に比して前記フラット回路体の挿入口側で前記端末部の厚みの幅に比して僅かに大きい幅で向かい合う壁で前記端末部の挿入経路を形成することによって前記一対の係合孔が前記一対の係合突起に係合する位置になるように前記フラット回路体の移動を規制することを特徴する。
【００１０】
また、本発明の請求項４に係るフラット回路体とコネクタの接続構造は、上記の発明において、互いに対応する前記係合孔と前記係合突起との係合を解除するように前記回路体逃げ部で前記両角部周辺をたわませるため、前記コネクタハウジングの外部から内部に係合解除用の冶具を差し入れる経路となる係合解除用冶具差入経路を有することを特徴とする。
【００１１】
また、本発明の請求項５に係るフラット回路体とコネクタの接続構造は、上記の発明において、前記係合解除用冶具差入経路が前記一対の係合突起が突出するそれぞれの面に各係合突起の近傍から前記係合解除用の冶具の差し入れ口となる冶具差入口に向けて下り傾斜するように形成した面であり、かつ、前記一対の係合孔が前記一対の係合突起に係合した状態にある前記フラット回路体の前記両角部それぞれの面に前記係合解除用の冶具を前記移動規制部によって定められた移動規制範囲から外れる方向に向けて押し当てるようにガイドする冶具挿入ガイド傾斜面を形成することを特徴とする。
【００１２】
また、本発明の請求項６に係るフラット回路体とコネクタの接続構造は、上記の発明において、前記回路体逃げ部は、前記両角部周辺を前記移動規制部によって定められた移動規制範囲から外れる方向にたわますことができるように、前記一対の係合突起の各係合突起の突出方向側に形成した開口であり、前記係合解除用冶具差入経路は、前記冶具差入口から前記回路体逃げ部まで連続した開口を形成することを特徴とする。
【００１３】
また、本発明の請求項７に係るフラット回路体とコネクタの接続構造は、上記の発明において、前記コネクタハウジングが、固定先に固定金具によって固定し、前記固定金具を間にして互いに逆方向に突出し、かつ、該コネクタハウジングの底面の一部を構成する少なくとも一対の回転防止リブを有することを特徴とする。
【発明の効果】
【００１４】
本発明の請求項１に係るコネクタは、前記フラット回路体の前記端末部に、スライダと称する前記フラット回路体を前記コネクタとの接続完了位置で固定するための部材を組み付けることなく、前記フラット回路体に形成した前記一対の係合孔と、前記コネクタハウジングに形成した前記一対の係合突起とが、前記移動規制部による前記フラット回路体の移動を規制する作用、および、前記誘導部によるガイド作用によって、前記フラット回路体の前記両角部周辺が前記回路体逃げ部で前記コネクタハウジングの壁に干渉しないように弾性的に上方にたわみ、たわんだ状態から弾性的に復元ことによって係合するので、部品点数を少なく抑えることによって製造コストを削減することができる。
【００１５】
本発明の請求項２に係るフラット回路体とコネクタの接続構造は、前記フラット回路体の前記端末部に、スライダと称する前記フラット回路体を前記コネクタとの接続完了位置で固定するための部材を組み付けることなく、前記フラット回路体に形成した前記一対の係合孔と、前記コネクタハウジングに形成した前記一対の係合突起とが、前記移動規制部による前記フラット回路体の移動を規制する作用、および、前記誘導部によるガイド作用によって、前記フラット回路体の前記両角部周辺が前記回路体逃げ部で前記コネクタハウジングの壁に干渉しないように弾性的に上方にたわみ、たわんだ状態から弾性的に復元ことによって係合するので、部品点数を少なく抑えることによって製造コストを削減することができる。
【００１６】
本発明の請求項３に係るフラット回路体とコネクタの接続構造は、前記移動規制部が前記一対の係合突起の周辺、かつ、前記一対の係合突起に比して前記フラット回路体の挿入口側で前記端末部の厚みの幅に比して僅かに大きい幅で向かい合う壁で前記端末部の挿入経路を形成することによって、前記一対の係合孔が前記一対の係合突起に係合する位置になるように前記フラット回路体の厚み方向での移動を規制するようにしているので、前記一対の係合孔と前記一対の係合突起とを係合状態で安定的に保持することができる。
【００１７】
本発明の請求項４に係るフラット回路体とコネクタの接続構造は、係合解除用冶具差入経路を利用して前記コネクタハウジングの外部から内部に前記係合解除用の冶具を差し入れて前記回路体逃げ部で前記両角部周辺をたわませることによって、前記一対の係合孔と前記一対の係合突起との係合を容易に解除することができる。
【００１８】
本発明の請求項５に係るフラット回路体とコネクタの接続構造は、前記係合解除用の冶具を用いて互いに対応する前記係合孔と前記係合突起との係合を解除する場合、前記係合解除用の冶具の先端を前記冶具挿入ガイド傾斜面に摺接しながら差し入れることによって、前記係合解除用の冶具の先端を前記角部の面に向けて配置することができるので、その面に前記係合解除用の冶具の先端を押し当て、前記両角部周辺を前記移動規制部によって定められた移動規制範囲から外れる方向にたわませることによって互いに対応する前記係合孔と前記係合突起の係合を容易に解除することができる。
【００１９】
本発明の請求項６に係るフラット回路体とコネクタの接続構造は、前記冶具差入口から開口である前記回路体逃げ部まで前記各係合突起の突出方向側に連続した開口を形成することができるので、前記係合解除用の冶具を前記コネクタハウジングに差し入れる際に前記係合解除用の冶具に前記コネクタハウジングが干渉し難くなり、互いに対応する前記係合孔と前記係合突起の前記係合解除用の冶具による係合解除操作をさらに容易にすることができる。
【００２０】
本発明の請求項７に係るフラット回路体とコネクタの接続構造は、前記一対の回転防止リブが、前記固定金具を間にして互いに逆方向に突出し、かつ、前記コネクタハウジングの底面の一部を構成することによって、前記固定金具を間にして前記コネクタハウジングの固定先への接地面積を拡大しているため、前記コネクタハウジングが前記固定金具を支点として回転しようとした場合、左右それぞれの回転方向に対して前記一対の回転防止リブのそれぞれの底面が回転を阻止するように固定先に当接するようになっているので、前記端子が固定先に半田付けされている場合であっても、前記コネクタハウジングの回転による前記端子への負荷によって半田が損傷することを防ぐことができ、結果的に、前記端子と固定先との電気的接続の低下を防止することができる。
【図面の簡単な説明】
【００２１】
【図１】図１は、本発明の実施例に係るフラット回路体とコネクタの接続構造の分解斜視図である。
【図２】図２は、コネクタの斜視図である。
【図３】図３は、電極を形成した面から視たフラット回路体の斜視図である。
【図４】図４は、（ａ）がコネクタハウジングの上面図であり、（ｂ）がコネクタハウジングの係合突起周辺を拡大した図である。
【図５】図５は、一部を断面で示した係合突起周辺の斜視図である。
【図６】図６は、図２に示したコネクタのＡ−Ａ線断面図である。
【図７】図７は、（ａ）が係合状態にある係合突起および係合孔周辺のコネクタおよびフラット回路体の断面図であり、（ｂ）が（ａ）とは異なる位置の断面を示したコネクタおよびフラット回路体の断面図である。
【図８】図８は、係合解除用の冶具を用いて係合孔と係合突起の係合を解除することを説明するための図であり、（ａ）がフラット回路体とコネクタとの断面図を示し（ｂ）が（ａ）に対応した係合孔および係合突起周辺の斜視図を示している。
【図９】図９は、（ａ）がフラット回路体の端末部をコネクタのコネクタハウジング内にスライドしながら挿入開始した状態のフラット回路体とコネクタの断面図であり、（ｂ）が（ａ）の状態からフラット回路体をさらに挿入完了位置に向けてスライド移動した状態のフラット回路体とコネクタの断面図である。
【図１０】図１０は、図９の（ｂ）の状態からフラット回路体をさらに挿入完了位置に向けてスライド移動した状態のフラット回路体とコネクタの断面図であり、（ｂ）がフラット回路体を挿入完了位置に移動完了した状態のフラット回路体とコネクタの断面図である。
【図１１】図１１は、変形例１のフラット回路体とコネクタの接続構造の分解斜視図である。
【図１２】図１２は、変形例１のフラット回路体とコネクタの接続構造の係合状態にある係合突起および係合孔周辺のコネクタおよびフラット回路体の断面図である。
【図１３】図１３は、変形例２のフラット回路体とコネクタの接続構造の断面図である。
【発明を実施するための形態】
【００２２】
以下、図面を参照して、本発明に係るフラット回路体とコネクタの接続構造の好適な実施例を詳細に説明する。
【実施例】
【００２３】
図１は、本発明の実施例に係るフラット回路体とコネクタの接続構造１の分解斜視図である。図２は、コネクタ２０の斜視図である。図３は、電極１１を形成した面から視たフラット回路体１０の斜視図である。図４は、（ａ）がコネクタハウジング３０の上面図であり、（ｂ）がコネクタハウジング３０の係合突起３３周辺を拡大した図である。図５は、一部を断面で示した係合突起３３周辺の斜視図である。図６は、図２に示したコネクタ２０のＡ−Ａ線断面図である。図７は、（ａ）が係合状態にある係合突起３３および係合孔１３周辺のコネクタ２０およびフラット回路体１０の断面図であり、（ｂ）が（ａ）とは異なる位置の断面を示したコネクタ２０およびフラット回路体１０の断面図である。図８は、係合解除用の冶具Ｔを用いて係合孔１３と係合突起３３の係合を解除することを説明するための図であり、（ａ）がフラット回路体１０とコネクタ２０との断面図を示し（ｂ）が（ａ）に対応した係合孔１３および係合突起３３周辺の斜視図を示している。
なお、図６は、コネクタハウジング３０の固定先となる回路基板８０を仮想線で示している。
本発明の実施例に係るフラット回路体とコネクタの接続構造１は、フレキシブルプリント配線板あるいはフレキシブルフラットケーブル等のフラット回路体１０の端末部１０ａをコネクタ２０のコネクタハウジング３０内にスライドしながら挿入することによって端末部１０ａに形成した電極１１とコネクタハウジング３０内の端子４０とを接続するものである。
【００２４】
まず、フラット回路体１０について説明する。
フラット回路体１０は、例えば、フレキシブルプリント配線板によって実現する。このフラット回路体１０は、絶縁性樹脂シートの上に導電性の金属膜によって回路配線を形成し、この回路配線を保護するように絶縁樹脂性シートの表面を絶縁保護フィルムによって覆った平板状可撓性の回路基板である。
また、フラット回路体１０は、端末部１０ａの片面に回路配線として複数の電極１１を並べて形成し、絶縁保護フィルムの一部を除去することによって各電極１１の接続面を露出している。このようにして外部に露出した各電極１１がコネクタ２０に設けた各端子４０に接続するようになっている。
また、フラット回路体１０は、複数の電極１１が露出される側とは反対側の面に補強板１２を貼り付けている。この補強板１２は、フラット回路体１０の端末部１０ａに貼り付けることによって端末部１０ａを補強するものである。なお、この実施例では、補強板１２は、弾性を有するものを用いている。
【００２５】
さらに、フラット回路体１０は、端末部１０ａの両角部１０ｂ、１０ｂにフラット回路体１０を貫通する一対の係合孔１３、１３を形成している。この一対の係合孔１３、１３の各係合孔１３は、コネクタハウジング３０の後述する一対の係合突起３３、３３のそれぞれ係合するものであり、外形円形状をなす。
なお、この実施例では、フラット回路体１０は、一対の係合孔１３、１３を実施例のコネクタハウジング３０内に挿入する側の端末部１０ａだけでなく、もう一方の端末部にも形成している。
【００２６】
次に、コネクタ２０について説明する。
コネクタ２０は、コネクタハウジング３０と、コネクタハウジング３０内に設けた複数の端子４０と、を有し、一対の固定金具５０、５０によって回路基板８０等の固定先にコネクタハウジング３０を固定するようになっている。
【００２７】
コネクタハウジング３０は、合成樹脂等の絶縁性樹脂材からなり、外郭が略直方体形状をなす。
このコネクタハウジング３０は、複数の端子４０を内部に固定し、フラット回路体１０の端末部１０ａを挿入する挿入口３１からフラット回路体１０をコネクタハウジング３０内に挿入完了した位置で各電極１１と各端子４０を接続した状態で固定する。
【００２８】
また、コネクタハウジング３０の長手方向両側部には、各固定金具５０を嵌め込んで固定する金具固定部３７を設けている。この金具固定部３７に固定した各固定金具５０を回路基板８０に固定することによって、コネクタハウジング３０を固定先となる回路基板８０に固定するようになっている。
【００２９】
また、コネクタハウジング３０の長手方向の各端部には、回路基板８０に対してコネクタハウジング３０が固定金具５０、５０を支点として回転することを防止する一対の回転防止リブ３２をそれぞれ設けている。
この一対の回転防止リブ３２は、固定金具５０を間にして前方、および後方のそれぞれに突出するように設け、かつ、底面がコネクタハウジング３０の底面の一部を構成するようになっている。
すなわち、一対の回転防止リブ３２は、固定金具５０を間にして互いに逆方向に突出し、かつ、コネクタハウジング３０の底面の一部を構成することによって、固定金具５０を間にして固定先となる回路基板８０への接地面積を拡大している。このため、コネクタハウジング３０が固定金具５０を支点として回転しようとした場合、左右それぞれの回転方向に対して一対の回転防止リブ３２のそれぞれの底面が回転を阻止するように回路基板８０に当接するようになっている。
【００３０】
このような一対の回転防止リブ３２は、例えば、コネクタ２０に接続しているフラット回路体１０を上下方向に引っ張ることによって、固定金具５０、５０を支点として回転する力がコネクタハウジング３０に作用した場合であっても、回転防止リブ３２の底面がコネクタハウジング３０の回転を防止し、結果的に、回路基板８０に半田付けした端子４０の半田が損傷することを防止している。
【００３１】
なお、この実施例では、コネクタハウジング３０の長手方向の各端部に前方、および後方のそれぞれに突出するように一対の回転防止リブ３２を設けるものを例示したが、これに限らず、固定金具５０を間にして互いに逆方向に突出し、かつ、コネクタハウジング３０の底面の一部を構成する少なくとも一対の回転防止リブ３２を設けるようにすればよい。
【００３２】
また、コネクタハウジング３０は、一対の係合孔１３、１３のそれぞれに係合する一対の係合突起３３、３３と、フラット回路体１０の移動を規制する移動規制部３４と、フラット回路体１０の一対の係合孔１３、１３の各係合孔１３を含む両角部１０ｂ、１０ｂ周辺をたわませることができる回路体逃げ部３５と、係合解除用の冶具Ｔをコネクタハウジング３０内に差し入れる経路となる係合解除用冶具差入経路３６と、を有する。
【００３３】
一対の係合突起３３、３３は、フラット回路体１０が電極１１と端子４０を接続するように挿入完了した位置で、一対の係合孔１３、１３に係合するように突起し、かつ、フラット回路体１０を挿入する際に一対の係合孔１３、１３を頂部に誘導する誘導部３３ａを形成している。
この実施例では、誘導部３３ａは、フラット回路体１０の挿入方向Ｄに上り傾斜することによって一対の係合孔１３、１３を頂部に誘導する傾斜面になっている。
なお、誘導部３３ａは、各係合孔１３を各係合突起３３の頂部に誘導することができれば、傾斜面に限らず、例えば、曲面形状の部分であっても構わない。
【００３４】
各係合突起３３、３３は、より具体的には、図４−図６に示すように、移動規制部３４の下側の面３４ａからさらにフラット回路体１０の挿入方向Ｄに連続して延びる面から略円柱上に突起し、フラット回路体１０がコネクタハウジング３０に挿入されて当接する側に誘導部３３ａを形成している。誘導部３３ａは、コネクタハウジング３０内に挿入してスライド移動するフラット回路体１０の角部１０ｂが係合突起３３をのり越えて係合孔１３と係合突起３３が係合するため、角部１０ｂを係合突起３３の頂点に誘導し易いなだらかな傾斜面を形成している。
【００３５】
移動規制部３４は、一対の係合突起３３、３３の周辺、かつ、一対の係合突起３３、３３に比してフラット回路体１０の挿入口３１側で端末部１０ａの厚みの幅に比して僅かに大きい幅で向かい合う壁で端末部１０ａの挿入経路を形成することによって、一対の係合孔１３、１３が一対の係合突起３３、３３に係合する位置になるようにフラット回路体１０の厚み方向での移動を規制する部分である。
この移動規制部３４を形成する図６中下側の面３４ａは、フラット回路体１０の挿入方向Ｄで各係合突起３３を設けた位置まで延びている。
【００３６】
回路体逃げ部３５は、フラット回路体１０の一対の係合孔１３、１３の各係合孔１３を含む両角部１０ｂ、１０ｂ周辺を互いに対応する係合孔１３と係合突起３３とが係合可能、および、係合解除可能に移動規制部３４によって定められた移動規制範囲から外れる方向にたわませることができる開口を形成してなる。
より具体的には、回路体逃げ部３５は、フラット回路体１０の一対の係合孔１３、１３の各係合孔１３を含む両角部１０ｂ、１０ｂ周辺を互いに対応する係合孔１３と係合突起３３とが係合可能、および、係合解除可能に、各係合突起３３の頂部を超えてたわませることができる開口を形成してなる。
【００３７】
すなわち、回路体逃げ部３５は、各係合突起３３、３３に対応してコネクタハウジング３０の長手方向両端部にそれぞれ設け、両角部１０ｂ、１０ｂ周辺を上方にたわますことができるように、一対の係合突起３３、３３の各係合突起３３、３３の上方に形成した開口である。
【００３８】
係合解除用冶具差入経路３６は、互いに対応する係合孔１３と係合突起３３との係合を解除するように回路体逃げ部３５で両角部１０ｂ、１０ｂ周辺をたわませるため、コネクタハウジング３０の外部から内部に係合解除用の冶具Ｔを差し入れる経路となる。なお、係合解除用の冶具Ｔとは、フラット回路体１０の角部１０周辺をたわませることができる冶具であればよく、例えば、既存のマイナスドライバーを用いる。
【００３９】
この係合解除用冶具差入経路３６は、一対の係合突起３３、３３が突出するそれぞれの面に各係合突起３３、３３の近傍から係合解除用の冶具Ｔの差し入れ口となる冶具差入口３６ａに向けて下り傾斜するように形成した面であり、かつ、一対の係合孔１３、１３が一対の係合突起３３、３３に係合した状態にあるフラット回路体１０の両角部１０ｂ、１０ｂのそれぞれの面に係合解除用の冶具Ｔを移動規制部３４によって定められた移動規制範囲から外れる方向に向けて押し当てるようにガイドする冶具挿入ガイド傾斜面３６ｂを形成する。
なお、冶具差入口３６ａは、コネクタハウジング３０の挿入口３１とは逆側の面に形成することによって、コネクタハウジング３０に挿入完了したフラット回路体１０の先端側からコネクタハウジング３０内に係合解除用の冶具Ｔを差し入れることができるようになっている。
【００４０】
また、係合解除用冶具差入経路３６は、冶具差入口３６ａから回路体逃げ部３５まで連続した開口を形成している。これにより、係合解除用冶具差入経路３６を通してコネクタハウジング３０内に差し入れた係合解除用の冶具Ｔがコネクタハウジング３０の壁に干渉し難くなり、係合解除用冶具差入経路３６によってフラット回路体１０の角部１０周辺を上方にたわませる操作を行い易くなっている。
【００４１】
コネクタハウジング３０内に挿入完了したフラット回路体１０の各角部１０ｂに向けてコネクタハウジング３０の外部から内部に係合解除用の冶具Ｔを差し入れる場合、図８に示すように、係合解除用の冶具Ｔの先端を冶具挿入ガイド傾斜面３６ｂに摺接しながら差し入れることによって、係合解除用の冶具Ｔの先端を角部１０ｂの下方に配置することができる。
このため、角部１０ｂの下方から上方に向けて係合解除用の冶具Ｔの先端を押し上げ、角部１０ｂ周辺を上方にたわませることによって、係合孔１３と係合突起３３の係合を解除することができる。
【００４２】
次に、図９および図１０を用いて、フラット回路体１０の端末部１０ａをコネクタ２０のコネクタハウジング３０内にスライドしながら挿入することによって端末部１０ａに形成した電極１１とコネクタハウジング３０内の端子４０とを接続する手順と各部の動作について説明する。
図９は、（ａ）がフラット回路体１０の端末部１０ａをコネクタ２０のコネクタハウジング３０内にスライドしながら挿入開始した状態のフラット回路体１０とコネクタ２０の断面図であり、（ｂ）が（ａ）の状態からフラット回路体１０をさらに挿入完了位置に向けてスライド移動した状態のフラット回路体１０とコネクタ２０の断面図である。図１０は、図９の（ｂ）の状態からフラット回路体１０をさらに挿入完了位置に向けてスライド移動した状態のフラット回路体１０とコネクタ２０の断面図であり、（ｂ）がフラット回路体１０を挿入完了位置に移動完了した状態のフラット回路体１０とコネクタ２０の断面図である。
なお、便宜上、図９および図１０に示した矢印Ｖの方向を上下方向として説明する。
【００４３】
まず、作業者は、フラット回路体１０の端末部１０ａをコネクタハウジング３０の挿入口３１からコネクタハウジング３０内にスライド移動しながら挿入開始する（図９（ａ）参照）。このとき、フラット回路体１０は、端末部１０ａを移動規制部３４によって上下方向の移動を規制された状態で挿入完了位置に向けてスライド移動する。
【００４４】
作業者は、フラット回路体１０をさらに挿入完了位置に向けてスライド移動する（図９（ｂ）参照）。すると、フラット回路体１０は、端末部１０ａの両角部１０ｂ、１０ｂの下面が各誘導部３３ａ、３３ａにのりあげながらスライド移動する。
ここで、フラット回路体１０は、移動規制部３４によって上下方向の移動が規制されているため、両角部１０ｂ、１０ｂを移動規制部３４によって定められた高さから上方にたわませながらスライド移動する。
【００４５】
その後、作業者は、フラット回路体１０をさらに挿入完了位置に向けてスライド移動する（図１０（ａ）参照）。すると、上方にたわんだ両角部１０ｂ、１０ｂの先端がコネクタハウジング３０の上面よりも上方に位置するものの、回路体逃げ部３５としての開口によってフラット回路体１０はコネクタハウジング３０に干渉することがなく挿入完了位置に向けてスライド移動を継続することができる。
【００４６】
その後、作業者は、フラット回路体１０を挿入完了位置まで移動完了すると、互いに対応する係合孔１３と係合突起３３が係合することによってこの作業を完了する（図１０（ｂ）参照）。フラット回路体１０は、挿入完了位置まで移動完了すると、各係合孔１３が対応する係合突起３３と係合する位置に到達し、上方にたわんでいた両角部１０ｂ、１０ｂが弾性的に復元して、互いに対応する係合孔１３と係合突起３３とが係合する。
ここで、フラット回路体１０は、移動規制部３４によって各係合孔１３が対応する係合突起３３と係合するための上下方向の位置に保持されるようになっているため、外力によって両角部１０ｂ、１０ｂを上方にたわませない限りコネクタハウジング３０から離脱しない。
【００４７】
なお、互いに対応する係合孔１３と係合突起３３との係合を解除する場合、上述したように、係合解除用の冶具Ｔを係合解除用冶具差入経路３６に通してコネクタハウジング３０内に差し入れて行う（図８参照）。
【００４８】
本発明の実施例に係るコネクタ２０は、フラット回路体１０の端末部１０ａに、スライダと称するフラット回路体１０をコネクタ２０との接続完了位置で固定するための部材を組み付けることなく、フラット回路体１０に形成した一対の係合孔１３、１３と、コネクタハウジング３０に形成した一対の係合突起３３、３３とが、移動規制部３４によるフラット回路体１０の移動を規制する作用、および、誘導部３３ａによるガイド作用によって、フラット回路体１０の両角部１０ｂ、１０ｂ周辺が回路体逃げ部３５でコネクタハウジング３０の壁に干渉しないように弾性的に上方にたわみ、たわんだ状態から弾性的に復元ことによって係合するので、部品点数を少なく抑えることによって製造コストを削減することができる。
【００４９】
本発明の実施例に係るフラット回路体とコネクタの接続構造１は、フラット回路体１０の端末部１０ａに、スライダと称するフラット回路体１０をコネクタ２０との接続完了位置で固定するための部材を組み付けることなく、フラット回路体１０に形成した一対の係合孔１３、１３と、コネクタハウジング３０に形成した一対の係合突起３３、３３とが、移動規制部３４によるフラット回路体１０の移動を規制する作用、および、誘導部３３ａによるガイド作用によって、フラット回路体１０の両角部１０ｂ、１０ｂ周辺が回路体逃げ部３５でコネクタハウジング３０の壁に干渉しないように弾性的に上方にたわみ、たわんだ状態から弾性的に復元ことによって係合するので、部品点数を少なく抑えることによって製造コストを削減することができる。
【００５０】
また、本発明の実施例に係るフラット回路体とコネクタの接続構造１は、移動規制部３４が一対の係合突起３３、３３の周辺、かつ、一対の係合突起３３、３３に比してフラット回路体１０の挿入口３１側で端末部１０ａの厚みの幅に比して僅かに大きい幅で向かい合う壁で端末部１０ａの挿入経路を形成することによって、一対の係合孔１３、１３が一対の係合突起３３、３３に係合する位置になるようにフラット回路体１０の厚み方向での移動を規制するようにしているので、一対の係合孔１３、１３と一対の係合突起３３、３３とを係合状態で安定的に保持することができる。
【００５１】
また、本発明の実施例に係るフラット回路体とコネクタの接続構造１は、係合解除用冶具差入経路３６を利用してコネクタハウジング３０の外部から内部に係合解除用の冶具Ｔを差し入れて回路体逃げ部３５で両角部１０ｂ、１０ｂ周辺をたわませることによって、一対の係合孔１３、１３と一対の係合突起３３、３３との係合を容易に解除することができる。
【００５２】
また、本発明の実施例に係るフラット回路体とコネクタの接続構造１は、係合解除用の冶具Ｔを用いて互いに対応する係合孔１３と係合突起３３との係合を解除する場合、係合解除用の冶具Ｔの先端を冶具挿入ガイド傾斜面３６ｂに摺接しながら差し入れることによって、係合解除用の冶具Ｔの先端を角部１０ｂの面に向けて配置することができるので、その面に係合解除用の冶具Ｔの先端を押し当て、両角部１０ｂ周辺を移動規制部３４によって定められた移動規制範囲から外れる方向にたわませることによって互いに対応する係合孔１３と係合突起３３の係合を容易に解除することができる。
【００５３】
また、本発明の実施例に係るフラット回路体とコネクタの接続構造１は、冶具差入口３６ａから開口である回路体逃げ部３５まで各係合突起３３の突出方向側に連続した開口を形成することができるので、係合解除用の冶具Ｔをコネクタハウジング３０に差し入れる際に、係合解除用の冶具Ｔにコネクタハウジング３０が干渉し難くなり、互いに対応する係合孔１３と係合突起３３の係合解除用の冶具Ｔによる係合解除操作をさらに容易にすることができる。
【００５４】
また、本発明の実施例に係るフラット回路体とコネクタの接続構造１は、一対の回転防止リブ３２、３２が、固定金具５０を間にして互いに逆方向に突出し、かつ、コネクタハウジング３０の底面の一部を構成することによって、固定金具５０を間にしてコネクタハウジング３０の固定先となる回路基板８０への接地面積を拡大しているため、コネクタハウジング３０が固定金具５０を支点として回転しようとした場合、左右それぞれの回転方向に対して一対の回転防止リブ３２、３２のそれぞれの底面が回転を阻止するように回路基板８０に当接するようになっているので、端子４０が回路基板８０に半田付けされている場合であっても、コネクタハウジング３０の回転による端子４０への負荷によって半田が損傷することを防ぐことができ、結果的に、端子と固定先との電気的接続の低下を防止することができる。
（変形例１）
【００５５】
次に、図１１および図１２を用いて本発明の実施例に係るフラット回路体とコネクタの接続構造１の変形例１について説明する。
図１１は、変形例１のフラット回路体１０とコネクタの接続構造２の分解斜視図である。図１２は、変形例１のフラット回路体とコネクタの接続構造２の係合状態にある係合突起３３および係合孔１３周辺のコネクタ６０およびフラット回路体１０の断面図である。
なお、図１２は、係合孔１３と係合突起３３とを係合するため、あるいは、係合解除するためにたわんだ角部１０ｂを仮想線図で示している。
この変形例１のフラット回路体とコネクタの接続構造２は、回路体逃げ部７５が異なる点で実施例のフラット回路体とコネクタの接続構造１と異なる。
なお、その他の構成は実施例と同様であり、実施例と同一構成部分には同一符号を付している。
【００５６】
この変形例１のフラット回路体とコネクタの接続構造２の回路体逃げ部７５は、フラット回路体１０の一対の係合孔１３、１３の各係合孔１３、１３を含む両角部１０ｂ、１０ｂ周辺を互いに対応する係合孔１３と係合突起３３とが係合可能、および、係合解除可能に移動規制部３４によって定められた高さから上方にたわませることができる空間を形成している。
【００５７】
より具体的には、回路体逃げ部７５は、各係合突起３３、３３に対応してコネクタハウジング７０の長手方向両端部にそれぞれ設け、両角部１０ｂ、１０ｂ周辺を上方にたわますことができるように空間を形成している。
すなわち、回路体逃げ部７５は、一対の係合突起３３、３３周辺の壁が両角部１０ｂ、１０ｂ周辺を互いに対応する係合孔１３と係合突起３３とが係合可能、および、係合解除可能に上方にたわませても干渉しない空間を形成している。
【００５８】
この変形例１のフラット回路体とコネクタの接続構造２は、フラット回路体１０の端末部１０ａに、スライダと称するフラット回路体１０をコネクタ２０との接続完了位置で固定するための部材を組み付けることなく、フラット回路体１０に形成した一対の係合孔１３、１３と、コネクタハウジング３０に形成した一対の係合突起３３、３３とが、移動規制部３４によるフラット回路体１０の上下方向の移動を規制する作用、および、誘導部３３ａによるガイド作用によって、フラット回路体１０の両角部１０ｂ、１０ｂ周辺が回路体逃げ部７５でコネクタハウジング３０の壁に干渉しないように弾性的に上方にたわみ、たわんだ状態から弾性的に復元ことによって係合し、係合解除用冶具差入経路３６に係合解除用の冶具Ｔを差し入れることによって、両角部１０ｂ、１０ｂ周辺を上方にたわませて一対の係合孔１３、１３と一対の係合突起３３、３３の係合を解除することができるので、実施例のフラット回路体とコネクタの接続構造１と同様に、部品点数を少なく抑えることによって製造コストを削減することができる。
（変形例２）
【００５９】
次に、図１３を用いて本発明の実施例に係るフラット回路体とコネクタの接続構造１の変形例２について説明する。
図１３は、変形例２のフラット回路体とコネクタの接続構造３の断面図である。
この変形例２のフラット回路体とコネクタの接続構造３は、各係合突起１３３、１３３の誘導部１３３ａを挿入口３１まで延在するように形成している点で実施例のフラット回路体とコネクタの接続構造１と異なる。
なお、その他の構成は実施例と同様であり、実施例と同一構成部分には同一符号を付している。
【００６０】
この変形例２のフラット回路体とコネクタの接続構造３は、誘導部１３３ａがフラット回路体１０の一方の面を挿入口３１から係合突起１３３の頂部まで誘導している。
このため、移動規制部１３４は、挿入口３１から各係合突起１３３の周辺まで延びる壁であり、対応する係合孔１３と係合突起１３３とが係合する位置になるようにフラット回路体１０の移動を規制する。
この変形例２のフラット回路体とコネクタの接続構造２は、実施例と同様に部品点数を少なく抑えることによって製造コストを削減することができる。
【００６１】
なお、本発明の実施例および変形例１、２に係るコネクタ２０、６０、９０は、係合解除用冶具差入経路３６を有するものを例示したが、これに限らず、係合解除用冶具差入経路３６を有しないものであっても構わない。このように係合解除用冶具差入経路３６を有しないコネクタ２０、６０、９０は、フラット回路体１０をコネクタ２０、６０、９０から損傷しないように取り外す必要がないような仕様に対応することができる。
【００６２】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６３】
１、２、３  フラット回路体とコネクタの接続構造
１０        フラット回路体
１０ａ      端末部
１０ｂ      角部
１１        電極
１２        補強板
１３        係合孔
２０、６０、９０  コネクタ
３０、７０、１００コネクタハウジング
３１        挿入口
３２        回転防止リブ
３３、１３３  係合突起
３３ａ、１３３ａ  誘導部
３４、１３４  移動規制部
３４ａ      面
３５、７５  回路体逃げ部
３６        係合解除用冶具挿入経路
３６ａ      冶具差入口
３６ｂ      冶具挿入ガイド傾斜面
３７        金具固定部
４０        端子
５０        固定金具
８０        回路基板（固定先）
Ｔ          係合解除用の冶具
【図１】
2017004858.tif 000003
【図２】
2017004858.tif 000004
【図３】
2017004858.tif 000005
【図４】
2017004858.tif 000006
【図５】
2017004858.tif 000007
【図６】
2017004858.tif 000008
【図７】
2017004858.tif 000009
【図８】
2017004858.tif 000010
【図９】
2017004858.tif 000011
【図１０】
2017004858.tif 000012
【図１１】
2017004858.tif 000013
【図１２】
2017004858.tif 000014
【図１３】
2017004858.tif 000015